(57)【要約】【課題】  高精度のアシンメトリの検出及び補正を実現し、最尤検出の検出性能を向上できる情報信号再生装置を提供する。【解決手段】  オフセット補正器１２は、誤差算出器１６の出力に基づいて、Ａ／Ｄ変換器１１の出力に含まれる最短周期信号のＤＣレベルと最尤検出器１５における複数の基準レベルのうちの中央の基準レベルとが一致するようにオフセット補正する。アシンメトリ補正器１３は、オフセット補正器１２の出力信号のアシンメトリ量を検出し、検出したアシンメトリ量に基づいて、非線形変換により、オフセット補正器１２の出力信号を、アシンメトリが減少するように補正する。最尤検出器１５は、アシンメトリ補正器１３の出力信号を入力し、最尤検出によってチャネルビットデータ列に復号する。【選択図】    図１
2007059018.tif 000002
【特許請求の範囲】
【請求項１】
最尤検出を用いて情報記録媒体から読み出された再生信号をチャネルビットデータ列に復号する情報信号再生装置であって、
再生信号に含まれる最短周期信号のＤＣレベルと、最尤検出における複数の基準レベルのうちの中央の基準レベルとが一致するように、前記再生信号をオフセット補正するオフセット補正器と、
前記オフセット補正器によって補正された再生信号を最尤検出によって復号し、前記チャネルビットデータ列を生成する最尤検出器とを備えることを特徴とする情報信号再生装置。
【請求項２】
前記チャネルビットデータ列から、該チャネルビットデータ列に対応する前記最尤検出器の理想入力であるレプリカ信号を生成するレプリカ信号生成器と、前記レプリカ信号が前記最尤検出における中央の基準レベル付近にあるとき、前記最尤検出器の入力信号と前記レプリカ信号との差を誤差信号として出力する誤差算出器とを備えており、
前記オフセット補正器は、前記誤差信号に基づいてオフセット補正を行うことを特徴とする、請求項１に記載の情報信号再生装置。
【請求項３】
前記誤差算出器は、前記レプリカ信号が前記中央の基準レベル、又は、前記中央の基準レベルに上下に隣接する基準レベルにあるときに、前記最尤検出器の入力信号と前記レプリカ信号との差を誤差信号として出力する、請求項２に記載の情報信号再生装置。
【請求項４】
前記オフセット補正器によって補正された再生信号が、所定のパーシャルレスポンス（ＰＲ）特性となるように等化する等化器を更に備え、前記最尤検出器は、該等化器の出力をチャネルビットデータ列に復号する、請求項１〜３の何れか一に記載の情報信号再生装置。
【請求項５】
前記最尤検出器が、ビタビアルゴリズムに従って最尤検出を行う、請求項１〜４の何れか一に記載の情報信号再生装置。
【請求項６】
前記オフセット補正器の出力信号のアシンメトリ量を検出し、該検出したアシンメトリ量に基づいてアシンメトリ補正して前記最尤検出器に入力するアシンメトリ補正器を更に備える、請求項１〜５の何れか一に記載の情報信号再生装置。
【請求項７】
前記アシンメトリ補正器は、前記検出したアシンメトリ量に基づいて、前記オフセット補正器の出力信号のアシンメトリが減少するように、前記オフセット補正器の出力信号を非線形変換して補正する、請求項６に記載の情報信号再生装置。
【請求項８】
前記アシンメトリ補正器は、前記オフセット補正器の出力信号の最大レベルを検出する最大レベル検出手段と、前記オフセット補正器の出力信号の最小レベルを検出する最小レベル検出手段と、前記最大レベルと前記最小レベルの中心レベルを検出する中心レベル検出手段とを備え、該中心レベルの値に基づいて前記アシンメトリ量を検出する、請求項６又は７に記載の情報信号再生装置。
【請求項９】
前記アシンメトリ補正器は、前記オフセット補正器の出力信号の瞬時値の絶対値と、前記検出したアシンメトリ量とを乗算した値に基づいて、アシンメトリの補正量を決定する、請求項６〜８の何れか一に記載の情報信号再生装置。
【請求項１０】
前記アシンメトリ補正器は、前記オフセット補正器の出力信号の瞬時値の２乗と、前記検出したアシンメトリ量とを乗算した値に基づいて、アシンメトリの補正量を決定する、請求項６〜８の何れか一に記載の情報信号再生装置。
【請求項１１】
前記アシンメトリ補正器の出力信号から同期タイミングを生成するＰＬＬ回路を備えており、
前記アシンメトリ補正器は、前記ＰＬＬ回路が非同期状態にあるときには、前記アシンメトリの補正量を０又は直前の値にホールドすることを特徴とする、請求項６〜１０の何れか一に記載の情報信号再生装置。
【請求項１２】
光ディスクに光学的に記録された情報を再生する光ディスク再生装置であって、請求項１〜１１の何れか一に記載の情報信号再生装置を備えることを特徴とする光ディスク再生装置。
【請求項１３】
最尤検出を用いて情報記録媒体から読み出された再生信号をチャネルビットデータ列に復号する情報信号再生方法であって、
再生信号に含まれる最短周期信号のＤＣレベルと、最尤検出における複数の基準レベルのうちの中央の基準レベルとが一致するように、前記再生信号をオフセット補正するオフセット補正ステップと、
前記オフセット補正ステップによって補正された再生信号を最尤検出によって復号し、前記チャネルビットデータ列を生成する最尤検出ステップとを備えることを特徴とする情報信号再生方法。
【請求項１４】
前記チャネルビットデータ列から、該チャネルビットデータ列に対応する最尤検出の理想入力であるレプリカ信号を生成するレプリカ信号生成ステップと、前記レプリカ信号が最尤検出における中央の基準レベル付近にあるとき、前記最尤検出ステップの入力信号と前記レプリカ信号との差を誤差信号として出力する誤差算出ステップとを更に備えており、
前記オフセット補正ステップは、前記誤差信号に基づいてオフセット補正を行う、請求項１３に記載の情報信号再生方法。
【請求項１５】
前記誤差算出ステップは、前記レプリカ信号が前記中央の基準レベル、又は、前記中央の基準レベルに上下に隣接する基準レベルにあるときに、前記最尤検出ステップの入力信号と前記レプリカ信号との差を誤差信号として出力する、請求項１４に記載の情報信号再生方法。
【請求項１６】
前記オフセット補正ステップと前記最尤検出ステップとの間に、前記オフセット補正された再生信号のアシンメトリ量を検出するアシンメトリ量検出ステップと、該検出したアシンメトリ量に基づいてアシンメトリ補正するアシンメトリ補正ステップとを更に備える、請求項１３〜１５の何れか一に記載の情報信号再生方法。
【請求項１７】
前記アシンメトリ補正ステップでは、前記オフセット補正された再生信号のアシンメトリが減少するように、前記オフセット補正された再生信号を非線形変換する、請求項１６に記載の情報信号再生方法。
【発明の詳細な説明】
【技術分野】
【０００１】
本発明は、情報信号再生装置、方法、及び、光ディスク再生装置に関し、更に詳しくは、最尤検出によりチャネルビットデータ列を復号する情報信号再生装置、方法、及び、光ディスク再生装置に関する。
【背景技術】
【０００２】
光ディスク装置は、情報の記録再生にレーザ光を用いる。再生時には、レーザ光を情報記録面（以下、単に媒体とも呼ぶ）に集光し、記録マークによって変調された反射光をフォトディテクタにより電気信号に変換して情報を再生する。媒体への情報記録は、高い光パワーの集光ビームを記録面に照射し、微少領域の温度を上げることによって、記録マークを形成する。
【０００３】
記録品質を高めるためには、マーク形状、特にエッジ位置を正確に制御する必要があり、マークを記録するパワーを精密に制御することが必要である。これは、記録時に記録パワーのずれや媒体の感度のばらつきが生じている場合には、その記録された情報を読み出すと、再生波形にアシンメトリが発生し、再生性能が劣化するためである。
【０００４】
図１３は、媒体上に形成された記録マークの一例を示している。同図において、（ａ）は、理想記録マークの状態を、（ｂ）は、理想より短い記録マークの状態を、（ｃ）は、理想より長い記録マークの状態をそれぞれ示している。アシンメトリは、主に記録されたマーク形状に依存して発生し、（ｂ）及び（ｃ）に示すように、マークの線方向のエッジ位置が破線で示す適正な位置からずれることによって発生する。
【０００５】
アシンメトリの発生を抑えるためには、記録パワーを含むパラメータを最適化する必要がある。パラメータ最適化に関する技術としては、特許文献１や特許文献２に記載された技術がある。特許文献１に記載の技術では、通常記録領域とは別の領域で試し書きを行ってパラメータを最適化する。また、特許文献２に記載の技術では、最短周期の細密パターンと最長周期の最疎パターンとを組み合わせたパターンを記録し、再生時の両パターンに相当する波形の平均レベルの差を検出して、それがほぼゼロとなる（シンメトリがとれる）ように記録パワーをトレーニングする。
【０００６】
また、再生時に、アシンメトリによって発生するオフセットを補正し、アシンメトリの影響を低減する技術としては、特許文献３に記載の技術がある。この技術では、再生信号から直流成分を除去した信号Ｓに対して、ピーク値Ｐ及びボトム値Ｂをそれぞれ求め、これらの値に応じてオフセット調整値（Ｐ＋Ｂ）×ｋ（ｋは定数）を算出し、それに含まれる高周波成分を減衰した信号を、オフセット調整信号として信号Ｓに加えることでオフセット値を調整し、再生時におけるアシンメトリの影響によるＤＣオフセットを抑制する。
【０００７】
ここで、高密度記録された情報を再生する方式として、ＰＲＭＬ（Partial Response Maximum Likelihood）方式と呼ばれる信号処理技術が知られている。ＰＲＭＬ方式は、パーシャルレスポンス波形等化と最尤検出とを組み合わせたものであり、再生チャネルを考慮した最尤検出器の特性を最大限に引き出すために、再生信号を波形等化によって補正し、その後、最尤検出する。
【０００８】
ＰＲ方式のうちで最も簡単なＰＲ１方式（ＰＲ(１,１)方式）を用いてＰＲＭＬ検出する場合の動作を簡単に説明する。ＰＲ１方式では、符号系列“０１００”に対してヘッドから読み出された信号を、ＦＩＲ（Finite Impulse Response）フィルタに代表される等化器によって、符号間干渉を利用し“０１１０”となるように波形等化を行う。これにより、記録符号“０，１”に対し、等化後には“０，１，２”の３値のレベルとなる。通常の伝送系ではＡＣカップリングされるため、以降では、この基準レベルを“−１，０，１”に読み替える。
【０００９】
記録符号ａｋに対するＰＲ１方式の復号器の入力信号系列ｘｋは、図１４に示すような等化器の出力に合わせた“−１，０，１”の３値の基準レベルで２状態の遷移をする。図１５は、ＰＲ１方式のトレリス線図を示している。図１５に示すトレリス線図は、図１４に示す状態遷移図を時間軸上に展開したものでる。トレリス線図の各時刻のパスの長さをブランチメトリックと呼び、状態Ｓ（ｋ−１）＝Ｓｉ（ｉ＝０，１）から状態Ｓ（ｋ）＝Ｓｊ（ｊ＝０，１）に遷移するブランチメトリックは、下記の式（１）で与えられる。
式（１）
ｌｋ００＝（ｘｋ−（−１））２
ｌｋ０１＝（ｘｋ−０）２
ｌｋ１０＝（ｘｋ−０）２
ｌｋ１１＝（ｘｋ−１）２
【００１０】
ビタビアルゴリズムでは、トレリス線図でのある時刻ｋでの１つの状態に入力する２本のパスのうち、時刻ｋ−１までのパスの長さの総和と、時刻ｋで入力されたｘｋの値とから、それぞれのパスを通った場合のパスの長さを計算し、より小さいパスを選択する操作を行う。ある時刻において、各状態に至るパスの長さの最小値をパスメトリックといい、ＰＲ１方式のメトリックは、下記の式（２）で与えられる。
式（２）
ｍｋ（Ｓ０）＝ｍｉｎ｛ｍｋ−１（Ｓ０）＋ｌｋ００，ｍｎ−１（Ｓ１）＋ｌｋ１０｝
ｍｋ（Ｓ１）＝ｍｉｎ｛ｍｋ−１（Ｓ０）＋ｌｋ０１，ｍｋ−１（Ｓ１）＋ｌｋ１１｝
【００１１】
式（２）において、例えばｍｋ（Ｓ０）は、時刻ｋにおいて状態Ｓ０に遷移するパスの長さの最小値を示している。すなわち、時刻ｋ−１に状態Ｓ０に遷移するまでのパスメトリックと、時刻ｋ−１において状態Ｓ０から時刻ｋにＳ０に遷移するブランチメトリックの和と、時刻ｋ−１に状態Ｓ１に遷移するまでのパスメトリックと、時刻ｋ−１において状態Ｓ１から時刻ｋにＳ０に遷移するブランチメトリックの和とのうちで、値が小さいほうが選択される。各時刻において、式（２）のメトリックを持つパスのみが最尤パスとなる可能性を有するパスとして残され、パスメトリックが更新される。こうして残されたパスを生き残りパスと呼び、生き残りパスを過去に溯っていくと、ある時点でパスが１本にマージする確率が高くなる。マージしたパスを最尤パスとして復号し、検出データが得られる。
【００１２】
【特許文献１】特開平６−１９５７１３号公報
【特許文献２】特開平７−１５３０７８号公報
【特許文献３】特開２００１−８４７０２号公報
【発明の開示】
【発明が解決しようとする課題】
【００１３】
ＰＲＭＬ方式は、高密度記録された情報や分解能が低い信号を再生することに適している。しかしながら、等化器として一般的に用いられるＦＩＲフィルタのような線形フィルタでは、非線形を有するアシンメトリの影響を低減できない。また、ビタビ復号器の入力基準レベルは、アシンメトリのような非線形歪に対応できるように設定されていない。アシンメトリのある再生波形は、パターンの粗密に対応した正と負のピークレベルが中央となる基準レベルに対して対称にならない、つまり正負のピークレベルの中心がパターンの粗密によって異なるという非線形な現象が生じる。
【００１４】
例えば、ＰＲ１ＭＬ方式では、ビタビ復号器の入力基準レベルは“−１，０，１”となる。しかし、アシンメトリのある波形の場合には、入力波形が、例えば“−０．８，０．１，１．２”となる可能性がある。この場合、正しい基準レベルに対して、誤差が“−０．２，０．１，０．２”とそれぞれ異なっており、オフセット補正では完全な補正は行うことができない。各時刻において誤差が生じると、誤ったパスが選択される可能性が高くなり、検出精度を劣化させるという問題がある。また、記録密度が高くなることによって、再生信号は符号間干渉が増加することから、検出精度の低下を抑えるために高次のＰＲＭＬ方式を用いることがある。この場合、ビタビ復号器の基準レベルは増加し、その間隔は狭くなるため、同じアシンメトリ量でも、相対的にそのずれは大きくなり再生性能が劣化する可能性がある。
【００１５】
特許文献１や特許文献２では、記録時に、アシンメトリができるだけ発生しないように、記録パワーを含むパラメータを設定している。しかし、記録時にアシンメトリの影響を抑え切れなかった場合には、再生時にアシンメトリに対する補償を行うことができないため、検出精度が劣化する可能性がある。また、特許文献３に記載の技術では、再生信号のピーク値及びボトム値に基づくオフセット調整値によってアシンメトリを補償しているが、アシンメトリを有する再生波形は、振幅のピークレベルの絶対値が大きくなる程、すなわち、比較的周期の長いパターンで振幅の大きな波形のそのピーク、又はボトム（負のピーク）に近づく程、正常なレベルからのずれが大きくなるため、アシンメトリに対する補償効果は十分ではない。
【００１６】
本発明は、上記従来技術の問題点を解消し、再生信号にアシンメトリがある場合でも、最尤検出の検出性能を向上させることができる情報信号再生装置、方法、及び、光ディスク再生装置を提供することを目的とする。
【課題を解決するための手段】
【００１７】
本発明の情報信号再生装置は、最尤検出を用いて情報記録媒体から読み出された再生信号をチャネルビットデータ列に復号する情報信号再生装置であって、再生信号に含まれる最短周期信号のＤＣレベルと、最尤検出における複数の基準レベルのうちの中央の基準レベルとが一致するように、前記再生信号をオフセット補正するオフセット補正器と、前記オフセット補正器によって補正された再生信号を最尤検出によって復号し、前記チャネルビットデータ列を生成する最尤検出器とを備えることを特徴とする。
【００１８】
本発明の情報信号再生装置では、オフセット補正器により、情報記録媒体から読み出された再生信号を、再生信号に含まれる最短周期信号のＤＣレベルが、最尤検出における中央の基準レベルに一致するようにオフセット補正し、最尤検出器により、オフセット補正された再生信号から、最尤検出により、チャネルビットデータ列を得る。情報記録媒体から読み出した再生信号にアシンメトリがある場合、再生信号に含まれる最短周期信号の信号レベルが、最尤検出における中央の基準レベルからずれるオフセットずれが発生する。最尤検出の検出性能は、再生信号のオフセットずれに対して敏感である。本発明の情報信号再生装置では、オフセット補正器で、再生信号のオフセットずれを補正することにより、最尤検出の性能を向上することができ、最尤検出器で、チャネルビットデータ列を正しく復号することができる。
【００１９】
本発明の情報信号再生装置は、前記チャネルビットデータ列から、該チャネルビットデータ列に対応する前記最尤検出器の理想入力であるレプリカ信号を生成するレプリカ信号生成器と、前記レプリカ信号が前記最尤検出における中央の基準レベル付近にあるとき、前記最尤検出器の入力信号と前記レプリカ信号との差を誤差信号として出力する誤差算出器とを備えており、前記オフセット補正器は、前記誤差信号に基づいてオフセット補正を行う構成を採用できる。再生信号がアシンメトリの影響を受ける場合には、そのアシンメトリの影響は、中央の基準レベルから離れるほど強くなる。従って、各時点における再生信号とレプリカ信号との差を全て用いてオフセット補正すると、再生信号に含まれる最短周期信号のＤＣレベルを、最尤検出における中央の基準レベルに一致させることは困難である。再生信号に含まれる最短周期信号に相当する中央の基準レベルにあるときの再生信号とレプリカ信号との差のみを誤差情報として用いることで、オフセット補正器により、再生信号に含まれる最短周期信号のＤＣレベルを、最尤検出における中央の基準レベルに一致させることができる。
ところで、オフセット補正器で、再生信号に含まれる最短周期信号のＤＣレベルを、最尤検出における中央の基準レベルに一致するようにオフセット補正する際には、最短周期信号に対応する再生信号レベルと、それに対応するレプリカ信号の信号レベルとの差を求め、これを誤差情報として用いればよい。しかしながら、その場合には、再生信号に含まれる最短周期信号の数が少ない場合には、得られる誤差情報が少なく、オフセット補正の精度を確保できないことも考えられる。ここで、再生信号のエッジ部分では、最尤検出の中央の基準レベルを横切ることになるが、このレベルも、最短周期信号と同様なレベルの信号として、最尤検出器に入力されることになる。そこで、レプリカ信号が中央の基準レベル付近となるときの再生信号の信号レベルとレプリカ信号の信号レベルとの差を、誤差情報として用いる。このようにすることで、誤差情報のサンプル数を増やすことができ、オフセット補正の精度を高めることができる。
【００２０】
本発明の情報信号再生装置では、前記誤差算出器は、前記レプリカ信号が前記中央の基準レベル、又は、前記中央の基準レベルに上下に隣接する基準レベルにあるときに、前記最尤検出器の入力信号と前記レプリカ信号との差を誤差信号として出力する構成を採用できる。ＰＲ１ＭＬでは、基準レベルが３つであるため、レプリカ信号が中央の基準レベルにあるときの再生信号の信号レベルとレプリカ信号の信号レベルとの差を誤差情報として用いることで、オフセット補正器において、再生信号に含まれる最短周期信号のＤＣレベルを、最尤検出における中央の基準レベルに一致するようにオフセット補正することができる。より高次のＰＲＭＬでは、基準レベル数が増えるため、レプリカ信号が中央の基準レベル付近にあるときの再生信号とレプリカ信号との差を、誤差情報として用いる。例えば、基準レベルが５以上であるときには、基準レベル数に応じて、中央レベルと、その上下に隣接する複数の基準レベルにあるときの再生信号とレプリカ信号との差を誤差情報として用いる。このようにすることで、誤差情報のサンプル数を確保でき、オフセット補正の精度を高めることができる。
【００２１】
本発明の情報信号再生装置は、前記オフセット補正器によって補正された再生信号が、所定のパーシャルレスポンス（ＰＲ）特性となるように等化する等化器を更に備え、前記最尤検出器は、該等化器の出力をチャネルビットデータ列に復号する構成を採用できる。この場合、例えばＦＩＲフィルタを用いて構成された等化器を用いて再生信号を波形等化することで、最尤検出の検出性能を向上させることができる。
【００２２】
本発明の情報信号再生装置では、前記最尤検出器が、ビタビアルゴリズムに従って最尤検出を行う構成を採用できる。この場合、最尤検出に要する計算量を削減させることができ、最尤検出器の回路構成を単純化できると共に、最尤検出に要する時間を短縮できる。
【００２３】
本発明の情報信号再生装置は、前記オフセット補正器の出力信号のアシンメトリ量を検出し、該検出したアシンメトリ量に基づいてアシンメトリ補正して前記最尤検出器に入力するアシンメトリ補正器を更に備える構成を採用できる。この場合、前記アシンメトリ補正器は、前記検出したアシンメトリ量に基づいて、前記オフセット補正器の出力信号のアシンメトリが減少するように、前記オフセット補正器の出力信号を非線形変換して補正することが好ましい。このようにすることで、最尤検出器に、アシンメトリ補正した再生信号を入力することができ、最尤検出器において、最尤検出の検出性能を更に向上させることができる。
【００２４】
本発明の情報信号再生装置では、前記アシンメトリ補正器は、前記オフセット補正器の出力信号の最大レベルを検出する最大レベル検出手段と、前記オフセット補正器の出力信号の最小レベルを検出する最小レベル検出手段と、前記最大レベルと前記最小レベルの中心レベルを検出する中心レベル検出手段とを備え、該中心レベルの値に基づいて前記アシンメトリ量を検出する構成を採用できる。
【００２５】
本発明の情報信号再生装置では、前記アシンメトリ補正器は、前記オフセット補正器の出力信号の瞬時値の絶対値と、前記検出したアシンメトリ量とを乗算した値に基づいて、アシンメトリの補正量を決定する構成を採用できる。或いは、前記アシンメトリ補正器は、前記オフセット補正器の出力信号の瞬時値の２乗と、前記検出したアシンメトリ量とを乗算した値に基づいて、アシンメトリの補正量を決定する構成を採用できる。通常、アシンメトリの影響は、中央レベルから離れるに従って大きくなる。従って、アシンメトリ補正では、中央レベルから離れるに従って補正量を大きくすることで、アシンメトリを正しく補正することができる。
【００２６】
本発明の情報信号再生装置は、前記アシンメトリ補正器の出力信号から同期タイミングを生成するＰＬＬ回路を備えており、前記アシンメトリ補正器は、前記ＰＬＬ回路が非同期状態にあるときには、前記アシンメトリの補正量を０又は直前の値にホールドする構成を採用できる。この場合、ＰＬＬ同期が外れて最尤検出器が誤りを出力し、それによってオフセットがずれ、アシンメトリ検出値がずれ、誤ったアシンメトリ補正を行うことで、ＰＬＬが再同期しなくなる事態を回避することができる。
【００２７】
本発明の光ディスク再生装置は、光ディスクに光学的に記録された情報を再生する光ディスク再生装置であって、上記本発明の情報信号再生装置を備えることを特徴とする。
【００２８】
本発明の情報信号再生方法は、最尤検出を用いて情報記録媒体から読み出された再生信号をチャネルビットデータ列に復号する情報信号再生方法であって、再生信号に含まれる最短周期信号のＤＣレベルと、最尤検出における複数の基準レベルのうちの中央の基準レベルとが一致するように、前記再生信号をオフセット補正するオフセット補正ステップと、前記オフセット補正ステップによって補正された再生信号を最尤検出によって復号し、前記チャネルビットデータ列を生成する最尤検出ステップとを備えることを特徴とする。
【００２９】
本発明の情報信号再生方法では、オフセット補正ステップで、情報記録媒体から読み出された再生信号を、再生信号に含まれる最短周期信号のＤＣレベルが、最尤検出における中央の基準レベルに一致するようにオフセット補正し、最尤検出ステップで、オフセット補正された再生信号から、最尤検出により、チャネルビットデータ列を得る。最尤検出の検出性能は、再生信号のオフセットずれに対して敏感である。本発明の情報信号再生方法では、オフセット補正ステップで、再生信号のオフセットずれを補正することにより、最尤検出の性能を向上することができ、最尤検出ステップで、チャネルビットデータ列を正しく復号することができる。再生信号がアシンメトリの影響を受ける場合には、そのアシンメトリの影響は、中央の基準レベルから離れるほど強くなる。従って、各時点における再生信号とレプリカ信号との差を全て用いてオフセット補正すると、再生信号に含まれる最短周期信号のＤＣレベルを、最尤検出における中央の基準レベルに一致させることは困難である。再生信号に含まれる最短周期信号に相当する中央の基準レベルにあるときの再生信号とレプリカ信号との差のみを誤差情報として用いることで、オフセット補正ステップにおいて、再生信号に含まれる最短周期信号のＤＣレベルを、最尤検出における中央の基準レベルに一致させることができる。
【００３０】
本発明の情報信号再生方法は、前記チャネルビットデータ列から、該チャネルビットデータ列に対応する最尤検出の理想入力であるレプリカ信号を生成するレプリカ信号生成ステップと、前記レプリカ信号が最尤検出における中央の基準レベル付近にあるとき、前記最尤検出ステップの入力信号と前記レプリカ信号との差を誤差信号として出力する誤差算出ステップとを更に備えており、前記オフセット補正ステップは、前記誤差信号に基づいてオフセット補正を行う構成を採用できる。
【００３１】
本発明の情報信号再生方法では、前記誤差算出ステップは、前記レプリカ信号が前記中央の基準レベル、又は、前記中央の基準レベルに上下に隣接する基準レベルにあるときに、前記最尤検出ステップの入力信号と前記レプリカ信号との差を誤差信号として出力する構成を採用できる。例えば、基準レベルが５以上であるときには、基準レベル数に応じて、中央レベルと、その上下に隣接する複数の基準レベルにあるときの再生信号とレプリカ信号との差を誤差情報として用いることにより、誤差情報のサンプル数を確保でき、オフセット補正の精度を高めることができる。
【００３２】
本発明の情報信号再生方法は、前記オフセット補正ステップと前記最尤検出ステップとの間に、前記オフセット補正された再生信号のアシンメトリ量を検出するアシンメトリ量検出ステップと、該検出したアシンメトリ量に基づいてアシンメトリ補正するアシンメトリ補正ステップとを更に備えることが好ましい。また、前記アシンメトリ補正ステップでは、前記オフセット補正された再生信号のアシンメトリが減少するように、前記オフセット補正された再生信号を非線形変換することが好ましい。この場合、最尤検出ステップにおいて、アシンメトリ補正した再生信号を用いて最尤検出を行うことにより、最尤検出の検出性能を更に向上させることができる。
【発明の効果】
【００３３】
本発明の情報信号再生装置、方法、及び、光ディスク再生装置では、再生信号に含まれる最短周期信号のＤＣレベルと最尤検出における中央の基準レベルとが一致するように再生信号をオフセット補正し、オフセット補正された再生信号を用いて最尤検出を行う。このようにオフセット補正することにより、オフセットずれに起因する最尤検出の検出性能の劣化を防ぐことができ、最尤検出の検出性能を向上させることができる。また、オフセット補正後にアシンメトリ補正する構成を採用する場合には、アシンメトリの影響を排除して、最尤検出の検出性能を更に向上させることができる。
【発明を実施するための最良の形態】
【００３４】
以下、図面を参照し、本発明の実施の形態を詳細に説明する。図１は、本発明の第１実施形態の情報信号再生装置の構成を示している。この情報信号再生装置１０は、情報記録媒体に記録された情報を再生する記録再生装置に組み込まれ、Ａ／Ｄ変換器１１、オフセット補正器１２、アシンメトリ補正器１３、ＰＬＬ回路１４、最尤検出器１５、及び、誤差算出器１６を有する。
【００３５】
Ａ／Ｄ変換器１１は、図示しない、ＣＤやＤＶＤなどの記録媒体から読み出された再生信号をディジタル信号に変換する。オフセット補正器１２は、Ａ／Ｄ変換器１１の出力を、誤差算出器１６が出力する誤差情報に基づいてオフセット補正する。アシンメトリ補正器１３は、オフセット補正器１２の出力を入力し、アシンメトリを検出して、これを補正する。最尤検出器１５は、アシンメトリ補正器１３の出力から、チャネルビットデータ列を検出する。誤差算出器１６は、アシンメトリ補正器１３の出力と、最尤検出器１５が出力するチャネルビットデータ列とに基づいて、オフセット補正器１２でオフセット補正する際に使用される誤差情報を生成する。
【００３６】
ＰＬＬ回路１４は、アシンメトリ補正器１３の出力を入力する。ＰＬＬ回路１４は、図示しない位相比較器、ループフィルタ、Ｄ／Ａ変換器、及び、ＶＣＯを含み、Ａ／Ｄ変換器１１と共に、位相同期ループを形成する。これによりＡ／Ｄ変換器１１のサンプリングクロックは、再生信号に位相同期する。ＰＬＬ回路１４には、Ｄ／Ａ変換器とＶＣＯに代えて、ＮＣＯ(Numerical Controlled Oscillator)を用いることができる。或いは、Ａ／Ｄ変換器１１を固定レートで動作させ、位相比較器直前でリサンプルする構成とすることもできる。
【００３７】
図２は、誤差算出器１６の構成を示している。誤差算出器１６は、レプリカ信号生成器６１と、減算器６２と、セレクタ制御信号生成器６３と、セレクタ６４と、遅延器６５とを備える。レプリカ信号生成器６１は、最尤検出器１５が生成するチャネルビット列を入力し、そのチャネルビット列に対応する最尤検出器１５の理想入力（レプリカ信号）を生成する。レプリカ信号生成器６１は、例えば、図３に示すようなＦＩＲフィルタにより構成され、タップ係数を、想定するＰＲチャネルの係数にしてレプリカ信号を出力する。或いは、チャネルビット列のパターンに対するレプリカ信号の変換テーブルを用意しておき、これに基づいてレプリカ信号を生成する構成としてもよい。
【００３８】
遅延器６５は、アシンメトリ補正器１３の出力を所定時間だけ遅延し、アシンメトリ補正器１３の出力と、レプリカ信号との間の位相を調整する。減算器６２は、位相調整されたアシンメトリ補正器１３の出力と、レプリカ信号生成器６１が生成したレプリカ信号との差を出力する。セレクタ制御信号生成器６３は、セレクタ６４の出力を制御するセレクタ制御信号を生成する。セレクタ６４は、減算器６２の出力と固定値“０”とを入力し、セレクタ制御信号に基づいて、減算器６２の出力又は固定値“０”を、誤差情報として出力する。或いは、固定値“０”に代えて、セレクタ制御信号の切り替わり直前の減算器６２の出力をホールドして出力してもよい。
【００３９】
図４は、誤差算出器１６における各部の信号波形の様子を示している。誤差算出器１６には、再生信号に相当するアシンメトリ補正器１３の出力（ａ）と、最尤検出器１５が出力するチャネルビット列とが入力される。レプリカ信号生成器６１は、チャネルビット列を、それに対応する最尤検出器１５の入力として想定される理想入力に変換し、レプリカ信号（ｂ）を出力する。この例では、ＰＲ（１，２，２，２，１）チャネルを想定しており、最尤検出器１５の基準レベルは、“０、±０．２５、±０．５、±０．７５、±１”の９レベルとなり、レプリカ信号も９レベルのうちの何れかとなる。減算器６２は、アシンメトリ補正器１３の出力（ａ）とレプリカ信号（ｂ）との差分を演算して出力する（ｃ）。
【００４０】
ここで、アシンメトリ補正器１３の出力（ａ）に含まれる最短周期信号のタイミングにおける、減算器６２の出力、つまり、最短周期信号の信号レベルとレプリカ信号（理想入力）との差は、最短周期信号のオフセットずれ量に相当する。このため、セレクタ制御信号生成器６３に、再生信号に含まれる最短周期信号のタイミングで減算器６２の出力を出力させるセレクタ制御信号を生成させ、セレクタ６４から、最短周期信号に対応する誤差情報を出力させる構成とすることで、オフセット補正器１２において、Ａ／Ｄ変換器１１の出力（再生信号）を、再生信号に含まれる最短周期信号の信号レベルが最尤検出器１５の中央基準レベルに一致するようにオフセット補正することができる。
【００４１】
しかしながら、オフセット補正器１２で、最短周期信号に対応する誤差情報のみを用いてオフセット補正をする場合には、誤差情報のサンプル数が少なく、オフセット補正の精度を高めることができないことも考えられる。再生信号には、図４の（ａ）に示すように、中央基準レベルを横切るエッジ部分が多く含まれている。レプリカ信号が中央基準レベルを横切る際のアシンメトリ補正器１３に出力の信号レベルは、最短周期信号の再生信号レベルと同様に、最尤検出器１５に入力されることになる。そこで、セレクタ制御信号生成器６３に、レプリカ信号が中央基準レベルとなるタイミングで、減算器６２の出力を出力させるセレクタ制御信号を生成させ、誤差算出器１６から、最短周期信号に対応する誤差情報、及び、エッジ部分に対応する誤差情報を出力させる。このようにする場合には、オフセット補正に用いる誤差情報のサンプル数を増やすことができ、オフセット補正の精度を向上することができる。
【００４２】
ＰＲ１ＭＬでは、レプリカ信号は、−１、０、１の３値を取るため、誤差算出器１６から、中央レベル（０）に対応する誤差情報のみを出力させ、オフセット補正器１２において、この誤差情報を用いてオフセット補正することで、アシンメトリがある場合でも、再生信号に含まれる最短周期信号の信号レベルを、高い精度で中央レベルに合わせ込むことができる。一方、高次のＰＲＭＬでは、基準レベル数が増加する。そこで、誤差算出器１６から、中央レベル付近に対応する誤差情報を出力させて、誤差情報のサンプル数を確保し、オフセット補正の精度を向上させる。
【００４３】
ところで、高次のＰＲＭＬにおいて、サンプル数を増やすために、中央レベルから離れた基準レベルに対応した誤差情報を用いると、中央レベルから離れた基準レベルに対応した誤差情報ほどアシンメトリの影響を受けるため、アシンメトリ補正器１３の動作を開始させたときや、アシンメトリがある時点でずれた場合等では、オフセット補正の精度は低くなると考えられる。そこで、基準レベル数が５以上となる高次のＰＲＭＬでは、最尤検出器１５の基準レベルの数に応じて、レプリカ信号が、中央レベルとその上下の隣接レベルとを含む３レベルの何れかであるときに、セレクタ６４から減算器６２の出力を出力させるように構成することが望ましい。
【００４４】
セレクタ制御信号生成器６３は、レプリカ信号（ｂ）が中央レベル付近にあるとき、より詳細には、中央レベル“０”又はその隣接レベル“±０．２５”にあるとき、セレクタ制御信号“１”を出力し、それ以外のときには、“０”を出力する（ｄ）。セレクタ６４は、セレクタ制御信号が“１”のときは減算器６２の出力を選択して出力し、セレクタ制御信号が“０”のときには固定値“０”を選択して出力する。これにより、セレクタ６４は、レプリカ信号が中央レベル“０”又はその隣接レベル“±０．２５”にあるときに、アシンメトリ補正器１３の出力とレプリカ信号との差分を出力し、それ以外のときは、固定値“０”を出力する（ｅ）。
【００４５】
図５は、オフセット補正器１２の構成を示している。オフセット補正器１２は、積分器２５と、乗算器２６と、減算器２７とを有する。積分器２５は、誤差算出器１６の出力を入力し、積分する。乗算器２６は、積分器２５の出力に、所定の値を乗算し、これをオフセット値として出力する。減算器２７は、Ａ／Ｄ変換器１１の出力から、乗算器２６が出力したオフセット値を減算して出力する。オフセット補正器１２、アシンメトリ補正器１３、最尤検出器１５、及び、誤差算出器１６は一つの閉ループを形成しており、オフセット補正器１２は、最尤検出器１５の入力に含まれる最短周期信号のＤＣレベルが、最尤検出器１５の中央基準レベルに合うように、オフセット補正する。
【００４６】
図６は、オフセット補正器１２における各部の信号波形の様子を示している。オフセット補正器１２は、Ａ／Ｄ変換器１１の出力（ａ）と、誤差算出器１６の出力（ｂ）とを入力する。ここで、図４（ａ）では、クロックごとの離散値となるＡ／Ｄ変換器１１の出力を補完して連続信号として示しており、図６に示すＡ／Ｄ変換器の出力（ａ）は、図４の（ａ）に示す信号波形のように変化する、クロックごとの離散値を時間軸（横軸）方向に圧縮して示している。例えば、図６（ａ）における中央基準レベル付近の信号は、図４（ａ）における中央レベル付近の信号に対応しており、これは、最短周期信号のＤＣレベルに対応する。
【００４７】
誤差算出器１６の出力（ｂ）は、積分器２５によって積算され、乗算器２６を介してオフセット補正値として出力される（ｃ）。減算器２７は、Ａ／Ｄ変換器１１の出力（ａ）から、オフセット補正値（ｃ）を減算して出力する（ｄ）。誤差算出器１６が出力する誤差情報（ｂ）は、前述したように、レプリカ信号が中央レベル付近にあるときの、レプリカ信号とアシンメトリ補正器１３の出力との差である。従って、この誤差情報を用いてオフセット補正をすることで、再生信号に含まれる最短周期信号のＤＣレベルを、最尤検出器１５の中央基準レベルに合せることができる（ｄ）。
【００４８】
図７（ａ）及び（ｂ）は、それぞれ再生波形のアイパターンを示している。同図（ａ）は、理想的な記録マークに対する再生波形を示しており、同図（ｂ）は、理想よりずれた記録マークに対する再生波形を示している。なお、同図における縦軸は、理想的な再生波形の最大／最小レベルが±１となるように規格化している。同図（ａ）に示すように、理想的な記録マークに対する再生波形では、アイパターンは各時刻で振幅値が“０、±０．２５、±０．５、±０．７５、±１”の９レベルを基準に分布しており、各々の基準の間隔は等間隔になっている。従って、最尤検出器１５の基準レベルをこの９レベルにすることで良好な検出が期待できる。
【００４９】
一方、図７（ｂ）に示すように、理想よりずれた記録マークに対する再生波形では、中央レベル（０）から離れた振幅の大きな波形、すなわち周期の長いパターンに対応した波形が、中央レベルから離れるほど、つまり、ピーク、又はボトムレベルに近くなる程、９つの基準レベルに対する波形各点のレベルのずれが大きくなっている。従って、アシンメトリを補正せずに、理想的な記録マークの再生波形の場合（同図（ａ））と同様の基準レベルで最尤検出を行うと、アシンメトリにより基準レベルに対して誤差が生じ、誤ったパスが選択される可能性が高くなり、検出精度が劣化する。
【００５０】
図８は、アシンメトリ補正器１３の構成を示している。アシンメトリ補正器１３は、最大レベル検出器３１、最小レベル検出器３２、中央レベル算出器３３、ローパスフィルタ（ＬＰＦ）３４、乗算器３５、及び、補正器３６を備える。最大レベル検出器３１は、オフセット補正器１２が出力するオフセット補正後の信号から、所定の時間間隔でピークレベルを検出する。また、最小レベル検出器３２は、オフセット補正後の信号から、所定時間間隔でボトムレベルを検出する。中央レベル算出器３３は、最大レベル検出器３１が出力するピークレベルと、最小レベル検出器３２が出力するボトムレベルとの中央レベルを出力する。
【００５１】
ＬＰＦ３４は、中央レベル算出器３３の出力を平滑化して出力する。乗算器３５は、ＬＰＦ３４の出力に固定ゲインを乗算してアシンメトリ量を算出する。この乗算器３５は、オフセット補正器１２の前段にＡＧＣ（Auto Gain Controller）を配置した場合には不要である。補正器３６は、以下に説明するように、乗算器３５が出力するアシンメトリ量をパラメータとした非線形関数により、オフセット補正器１２の出力を補正して出力する。
【００５２】
アシンメトリの影響は、振幅の絶対値の大きさに伴い増大するが、その関係は線形ではなく、振幅の絶対値の大きさに伴い非線形に変化する。従って、アシンメトリを補正するための補正器３６の非線形関数は、乗算器３５によって算出されたアシンメトリ量をβ、補正器３６の入力信号Ｓｉｎとし、補正器３６の出力をＳｏｕｔとすると、
Ｓｏｕｔ＝Ｓｉｎ−β×｜Ｓｉｎ−β｜  （３）
又は、
Ｓｏｕｔ＝Ｓｉｎ−β×（Ｓｉｎ−β）２  （４）
とすることができる。このように、入力信号Ｓｉｎに対して、β×｛（Ｓｉｎ−β）の大きさ｝により、信号の符号及び振幅に応じて非線形に補正量を変化させて、加減算することによって、信号Ｓｉｎにおけるアシンメトリの影響を低減することができる。なお、式（４）は、式（３）に比べてこのアシンメトリの影響を更に考慮した式であり、補正の精度も上がる。しかし、通常では、式（３）を用いた補正で十分効果が得られると考えられる。また、非線形関数として、より高次の関数を用いることもできるが、その場合には、ＬＳＩ化する場合に、回路的な制約が増加することになる。
【００５３】
図９は、アシンメトリ補正器１３の動作図を示している。アシンメトリ補正器１３は、図中の右下に示すような入力に対して、最大レベルＳｍａｘと最小レベルＳｍｉｎとを検出し、これらの値から中央レベルＳｃｅｎを算出し、ＬＰＦ３４を介してアシンメトリ量βを得る。補正器３６におけるアシンメトリの補正関数としては、アシンメトリ量と、入力信号振幅とに応じて、図中の右上に示すような、式（３）に対応する非線形関数を用いる。このような補正関数を用いることにより、補正器３６は、図中左上に示すようなアシンメトリの影響が低減された信号Ｓｏｕｔを出力する。
【００５４】
図１０は、アシンメトリ補正器１３の出力のアイパターンを示している。図７（ｂ）に示すようなアシンメトリのある波形をアシンメトリ補正器１３に入力し、アシンメトリ補正器１３でアシンメトリを補正すると、図１０に示すようなアシンメトリの影響が低減された信号波形が得られる。図１０では、理想的な記録マークに対する再生信号波形（図７（ａ））と同様に、アイパターンは各時刻で振幅値が“０、±０．２５、±０．５、±０．７５、±１”の９レベルを基準に分布しており、各々の基準の間隔は等間隔になっている。このため、図７（ａ）の場合と同様の最尤検出器１５の基準レベルで、検出精度を高めることができる。
【００５５】
ところで、ＰＬＬ回路１４は、アシンメトリ補正器１３の出力から位相情報を生成するため、アシンメトリがずれている場合でも位相誤差を生成することができる利点はある。しかし、一旦同期が外れると、最尤検出器１５が誤りを出力し、それによってオフセット補正器１２がオフセットを正しく補正できず、アシンメトリ補正器１３が誤って検出したアシンメトリ量に基づいてアシンメトリ補正する可能性がある。また、この状態でアシンメトリ補正器１３の出力から位相情報を取り出すと、ＰＬＬ回路１４が再同期しなくなる可能性がある。このようなことを回避するため、ＰＬＬ回路１４の同期外れを検出する位相同期検出器を設け、同期外れを検出した場合には、アシンメトリ補正量を０又は直前の値にホールドするように設定することが好ましい。この場合には、位相同期が外れた状態で、誤って検出されるアシンメトリ量に基づくアシンメトリ補正を防ぐことができる。
【００５６】
最尤検出器１５の入力（アシンメトリ補正器１３の出力）と、最尤検出器１５の基準レベルとの誤差は、アシンメトリ補正器１３の出力と、最尤検出器１５が出力するチャネルビット列から逆算した理想入力（レプリカ信号）との差で算出できる。誤差算出器１６は、レプリカ信号が最尤検出器１５の中央レベル付近にあるときに、アシンメトリ補正器１３の出力と基準レベルとの誤差を出力し、オフセット補正器１２は、その誤差に基づいて、オフセットを補正する。このように、誤差算出器１６から、中央付近の基準レベルの期間だけ誤差を出力し、この誤差が０となるように閉ループを組むことで、再生信号の最短周期信号のＤＣレベルを、最尤検出器１５の中央の基準レベルと一致させることができる。
【００５７】
アシンメトリずれがない線形な信号の場合には、再生信号の最長周期信号のピークレベルとボトムレベルの中央レベルは、最短周期信号のＤＣレベルと一致する。しかし、アシンメトリずれがある場合には、両者は一致せず、アシンメトリ値が大きい程、両者の差は開く。これは、長いマーク／スペースほど、アシンメトリの影響を受けることに起因する。アシンメトリ量は、このピークレベルとボトムレベルとのレベル差を用いることで、特殊なパターンを記録せずとも、その極性も含めて検出することができる。アシンメトリ補正器１３は、所定間隔で、オフセット補正器１２によってオフセットが補正された再生信号のピークレベルとボトムレベルの中央レベルの平均を算出する。この平均値は、上記２レベルの差、すなわちアシンメトリ量に対応する。
【００５８】
一般に、アシンメトリによる波形の歪み量は、図７（ｂ）に示すように、最短周期信号のＤＣレベルから離れた振幅値ほど大きく、また、その極性及び歪みの強さはアシンメトリずれ量に依存する。アシンメトリ補正器１３は、その特性を補償するように、非線形関数を用いて、アシンメトリによる再生信号の波形歪みを補正する。本実施形態では、オフセット補正器１２によって、再生信号に含まれる最短周期信号のＤＣレベルと最尤検出器１５における中央レベルとが一致するようにオフセット補正した後、アシンメトリ補正器１３で、オフセット補正後の再生信号からアシンメトリ量を検出し、アシンメトリ補正する。このようにすることで、最尤検出器１５に、アシンメトリによる非線形歪を低減した信号を入力することができ、最尤検出器１５の検出性能を向上できる。
【００５９】
図１１は、本発明の第２実施形態の情報信号再生装置を含む光ディスク再生装置の構成を示している。光ディスク再生装置５０は、Ａ／Ｄ変換器１１、オフセット補正器１２、アシンメトリ補正器１３、ＰＬＬ回路１４、誤差算出器１６、光ヘッド１７、等化器１９、タップ係数補正器２０、及び、ビタビ復号器２１を備える。光ディスク媒体１８は、図示しないスピンドルモータによって等角速度回転或いは等線速度回転を行う。光ヘッド１７は、図示しないサーボ回路によってディスク面と対物レンズの距離、及び、ディスク案内溝と集光スポットの半径位置がそれぞれ正確に制御され、ディスク上に記録された情報マークに集光スポットを照射する。ディスク面からの反射光は、情報マークの有無により反射率或いは偏光が変化し、これを図示しない検出器により検出することで再生信号が得られる。
【００６０】
Ａ／Ｄ変換器１１は、光ディスク媒体１８からの再生信号をディジタル信号に変換する。オフセット補正器１２は、図５に示すオフセット補正器１２と同様な動作により、Ａ／Ｄ変換器１１の出力を、誤差算出器１６の出力に基づいてオフセット補正する。アシンメトリ補正器１３は、図８に示すアシンメトリ補正器１３と同様な動作により、オフセット補正器１２の出力のアシンメトリを補正する。ＰＬＬ回路１４は、アシンメトリ補正器１３の出力と、Ａ／Ｄ変換器１１のサンプリングクロックとが再生信号に位相同期するように制御する。アシンメトリ補正器１３の出力をＰＬＬ回路１４に入力する前に、図示していないＡＧＣによって、信号振幅が一定となるようにゲイン制御を行う構成とすることもできる。
【００６１】
等化器１９は、アシンメトリ補正器１３の出力を、タップ係数補正器２０によって制御されたタップ係数により、後段のビタビ復号器２１が規定するＰＲ特性となるように等化する。等化器１９は、入力信号のＳＮＲ（Signal to Noise Ratio）及びチャネル特性がほぼ一定の場合には、タップ係数補正器２０を用いないで、固定の係数で等化してもよい。ビタビ復号器２１は、等化器１９の出力を入力して最尤検出を行い、チャネルビットデータ列を出力する。
【００６２】
誤差算出器１６は、等化器１９の出力と、ビタビ復号器２１が出力するチャネルビットデータ列とを入力し、図２に示す誤差算出器１６と同様な動作により、誤差情報を出力する。より詳細には、まず、チャネルビットデータ列をそれに対応するビタビ復号器２１の入力として想定される信号（レプリカ信号）に変換する。次いで、等化器１９とレプリカ信号との差を算出し、その差を、レプリカ信号がビタビ復号器２１の基準レベルの中央レベル近傍の場合にのみ出力する。誤差算出器１６の出力は、オフセット補正器１２及びタップ係数補正器２０にフィードバックされる。タップ係数補正器２０は、等化器１９の出力と誤差算出器１６の出力との差が最小となるように、タップ係数を補正し、これを等化器１９に出力する。
【００６３】
本実施形態では、等化器１９を用いて、再生信号が所望のＰＲ特性となるように等化して、ビタビ復号器２１により、チャネルビットデータ列を得る。例えば、高密度化したＤＶＤなどでは、再生信号が、所望のＰＲ特性からずれることが多い。このような場合には、等化器１９を用いて再生信号を等化し、その後、ビタビ復号器２１によって最尤検出を行うことにより、光ディスク媒体１８から情報を再生することができる。その他の効果は、第１実施形態と同様である。
【００６４】
図１２は、本発明の第３実施形態の情報信号再生装置を含む光ディスク再生装置の構成を示している。本実施形態の光ディスク再生装置は、アシンメトリ補正器１３を有しない点で、図１１に示す第２実施形態の光ディスク再生装置と相違する。光ディスク媒体１８からの再生信号は、Ａ／Ｄ変換器１１でディジタル信号に変換され、オフセット補正器１２でオフセット補正され、等化器１９で等化されて、ビタビ復号器２１に入力される。
【００６５】
ビタビ復号器２１の検出性能は、入力信号のオフセットずれに対して敏感である。このため、アシンメトリによってオフセットずれが生じると、検出性能が劣化する。本実施形態では、誤差算出器１６及びオフセット補正器１２により、ビタビ復号器の基準レベルの中央レベル近傍における誤差情報に基づいて、オフセットを補正する。このように、アシンメトリにより生じるオフセットずれだけを補正することでも、ある程度の検出性能向上が実現できる。
【００６６】
以上、本発明をその好適な実施形態に基づいて説明したが、本発明の情報信号再生装置及び光ディスク再生装置は、上記実施形態例にのみ限定されるものではなく、上記実施形態の構成から種々の修正及び変更を施したものも、本発明の範囲に含まれる。
【図面の簡単な説明】
【００６７】
【図１】本発明の第１実施形態の情報信号再生装置の構成を示すブロック図。
【図２】誤差算出器１６の構成を示すブロック図。
【図３】レプリカ信号生成器６１の構成を示すブロック図。
【図４】誤差算出器１６における各部の信号波形の様子を示す波形図。
【図５】オフセット補正器１２の構成を示すブロック図。
【図６】オフセット補正器１２における各部の信号波形の様子を示す波形図。
【図７】（ａ）及び（ｂ）は、それぞれ再生波形のアイパターンを示す波形図。
【図８】アシンメトリ補正器１３の構成を示すブロック図。
【図９】アシンメトリ補正器１３におけるアシンメトリ補正の様子を示す図。
【図１０】アシンメトリ補正器１３の出力信号波形のアイパターンを示す波形図。
【図１１】本発明の第２実施形態の情報信号再生装置を含む光ディスク再生装置の構成を示すブロック図。
【図１２】本発明の第３実施形態の情報信号再生装置を含む光ディスク再生装置の構成を示すブロック図。
【図１３】媒体上に形成された記録マークの一例を示す図。
【図１４】ＰＲ１方式における状態遷移の様子を示す状態遷移図。
【図１５】ＰＲ１方式におけるビタビ復号器のトレリス線図。
【符号の説明】
【００６８】
１１  Ａ／Ｄ変換器
１２  オフセット補正器
１３  アシンメトリ補正器
１４  ＰＬＬ回路
１５  最尤検出器
１６  誤差算出器
１７  光ヘッド
１８  光ディスク媒体
１９  等化器
２０  タップ係数補正器
２１  ビタビ復号器
２５  積分器
２６  乗算器
２７  減算器
３１  最大レベル検出器
３２  最小レベル検出器
３３  中央レベル算出器
３４  ローパスフィルタ
３５  乗算器
３６  補正器
６１  レプリカ信号生成器
６２  減算器
６３  セレクタ制御信号生成器
６４  セレクタ
【図１】
2007059018.tif 000003
【図２】
2007059018.tif 000004
【図３】
2007059018.tif 000005
【図４】
2007059018.tif 000006
【図５】
2007059018.tif 000007
【図６】
2007059018.tif 000008
【図７】
2007059018.tif 000009
【図８】
2007059018.tif 000010
【図９】
2007059018.tif 000011
【図１０】
2007059018.tif 000012
【図１１】
2007059018.tif 000013
【図１２】
2007059018.tif 000014
【図１３】
2007059018.tif 000015
【図１４】
2007059018.tif 000016
【図１５】
2007059018.tif 000017